(57)【要約】      （修正有）【課題】従来に比べて人物の視認性の向上を図る。【解決手段】本発明のインターホン装置は、子機操作部１０、子機通話部１２、映像撮像部１１および映像変調部１３を有する玄関子機１と、親機操作部２０、親機通話部２２、映像出画部２１および映像復調部２３を有する居室親機２とを備えている。居室親機には、映像復調部にて復調された映像信号のＳ／Ｎ比を検出するためのＳ／Ｎ比検出手段（Ｓ／Ｎ比検出回路２８ｃ）と、Ｓ／Ｎ比検出手段にて検出されたＳ／Ｎ比と予め設定された閾値との比較を行い映像信号の１フレーム内の分割数（ｎ）を決定するための分割数決定手段（分割数決定回路２８ａ）と、分割数決定手段にて決定された分割数に対応させてフレームレートを決定するためのフレームレート決定手段（フレームレート決定回路２８ｂ）とを有する。【選択図】図２
2013179395.tif 000002
【特許請求の範囲】
【請求項１】
住戸玄関に設置され来訪者が居住者を呼出すための子機操作部（１０）、前記来訪者が前記居住者との間で通話を成立させるための音声信号を送受信する子機通話部（１２）、前記来訪者の映像を撮像して映像信号を生成するための映像撮像部（１１）および前記映像撮像部にて生成された映像信号を変調するための映像変調部（１３）を有する玄関子機（１）と、
住戸内に設置され前記来訪者からの呼出しに前記居住者が応答するための親機操作部（２０）、前記居住者が前記来訪者との間で通話を成立させるための音声信号を送受信する親機通話部（２２）、前記玄関子機の前記映像撮像部にて生成された映像信号を出画するための映像出画部（２１）および前記玄関子機の映像変調部にて変調された映像信号を復調するための映像復調部（２３）を有する居室親機（２）とを備え、
前記居室親機には、前記映像復調部にて復調された映像信号のＳ／Ｎ比を検出するためのＳ／Ｎ比検出手段と、前記Ｓ／Ｎ比検出手段にて検出されたＳ／Ｎ比と予め設定された閾値との比較を行い前記映像信号の１フレーム内の分割数（ｎ）を決定するための分割数決定手段と、前記分割数決定手段にて決定された分割数に対応させてフレームレートを決定するためのフレームレート決定手段とを有することを特徴とするインターホン装置。
【請求項２】
前記フレームレート決定手段は、前記分割数決定手段にて決定された分割数に対応する所定のブロックのＳ／Ｎ比に対応させてフレームレートを決定することを特徴とする請求項１記載のインターホン装置。
【請求項３】
前記居室親機には、前記分割数決定手段にて決定された分割数に分割され、前記フレームレート決定手段にて決定されたフレームレートの映像信号を１フレームの当該映像信号に信号処理するための映像復元手段とを備えることを特徴とする請求項１又は請求項２記載のインターホン装置。
【請求項４】
前記居室親機には、前記分割数決定手段にて決定された分割数に分割され、前記フレームレート決定手段にて決定されたフレームレートの映像信号のノイズ成分、及び前記映像復元手段にて信号処理された映像信号のノイズ成分のうち何れかを除去するためのノイズ除去手段を備えることを特徴とする請求項３記載のインターホン装置。
【発明の詳細な説明】
【技術分野】
【０００１】
本発明はインターホン装置に係り、特に、人物の視認性を向上させることができるインターホン装置に関する。
【背景技術】
【０００２】
従来から、この種のインターホン装置として、被写体の映像を撮像するためのカメラを備える子機と、子機のカメラにて撮像された映像を出画するためのモニタを備える親機とを設け、子機及び親機の一方には、カメラにて撮像された映像における被写体の照度から当該カメラのＡＥ量を演算するための演算部を備え、親機には、モニタに出画される映像のノイズ成分を除去するためのノイズキャンセラと、被写体の照度に対応させて変化する演算部の演算結果をもとにノイズキャンセラを制御し、ノイズ除去量を可変させるための親機ＣＰＵとを備えるものが知られている（例えば、特許文献１等）。
【０００３】
このような構成のインターホン装置によれば、被写体の照度に対応させて変化するノイズの除去量を自動的に可変させることにより、ノイズ成分を含まない映像信号に対する影響を抑え、視認性の高い良好な画質の出画映像を確保することができる。
【０００４】
しかしながら、このような構成のインターホン装置においては、被写体の照度が低いと、映像信号のＳ／Ｎ比が低下しランダムノイズが発生することで人物の視認性が低下する虞があった。
【０００５】
一方、ノイズ低減の手段としてフレームレートを下げる方法も知られているが、フレームレートを下げると被写体の動作に追随せず、例えば人物が動くと残像が尾を引いたようになり、前述とは別の要因で視認性が低下する虞があった。
【先行技術文献】
【特許文献】
【０００６】
【特許文献１】特開  ２０１０−２００２５５号公報
【発明の概要】
【発明が解決しようとする課題】
【０００７】
本発明は、上述の難点を解消するためになされたもので、映像復調部で復調された映像信号のＳ／Ｎ比に応じて最適なフレームレートを決定し、1フレームあたりの分割数を変えて処理することで、従来に比べて人物の視認性を向上させることができるインターホン装置を提供することを目的としている。
【課題を解決するための手段】
【０００８】
本発明の第１の態様であるインターホン装置は、住戸玄関に設置され来訪者が居住者を呼出すための子機操作部、来訪者が居住者との間で通話を成立させるための音声信号を送受信する子機通話部、来訪者の映像を撮像して映像信号を生成するための映像撮像部および映像撮像部にて生成された映像信号を変調するための映像変調部を有する玄関子機と、住戸内に設置され来訪者からの呼出しに居住者が応答するための親機操作部、居住者が来訪者との間で通話を成立させるための音声信号を送受信する親機通話部、玄関子機の映像撮像部にて生成された映像信号を出画するための映像出画部および玄関子機の映像変調部にて変調された映像信号を復調するための映像復調部を有する居室親機とを備え、居室親機には、映像復調部にて復調された映像信号のＳ／Ｎ比を検出するためのＳ／Ｎ比検出手段と、Ｓ／Ｎ比検出手段にて検出されたＳ／Ｎ比と予め設定された閾値との比較を行い映像信号の１フレーム内の分割数を決定するための分割数決定手段と、分割数決定手段にて決定された分割数に対応させてフレームレートを決定するためのフレームレート決定手段とを有するものである。
【０００９】
本発明の第２の態様であるインターホン装置は、第１の態様であるインターホン装置において、フレームレート決定手段は、分割数決定手段にて決定された分割数に対応する所定のブロックのＳ／Ｎ比に対応させてフレームレートを決定するものである。
【００１０】
本発明の第３の態様であるインターホン装置は、第１の態様または第２の態様であるインターホン装置において、居室親機には、分割数決定手段にて決定された分割数に分割され、フレームレート決定手段にて決定されたフレームレートの映像信号を１フレームの当該映像信号に信号処理するための映像復元手段とを備えるものである。
【００１１】
本発明の第４の態様であるインターホン装置は、第３の態様であるインターホン装置において、居室親機には、分割数決定手段にて決定された分割数に分割され、フレームレート決定手段にて決定されたフレームレートの映像信号のノイズ成分、及び映像復元手段にて信号処理された映像信号のノイズ成分のうち何れかを除去するためのノイズ除去手段を備えるものである。
【発明の効果】
【００１２】
本発明の第１の態様乃至第４の態様の集合住宅インターホンシステムによれば、次のような効果がある。
【００１３】
第１に、1つのフレームを映像信号のＳ／Ｎ比の程度に応じた数のブロックに分割して当該Ｓ／Ｎ比の改善処理をして、フレーム中央付近のブロックにおけるＳ／Ｎ比に応じてフレームレートが選択されることで、被写体の低照度時の画質改善を図ることができる。
【００１４】
第２に、居室親機で復調された映像信号のＳ／Ｎ比を測定し、その結果に基づいて1フレームを複数に分割して後段で当該Ｓ／Ｎ比の改善処理をするか否かを自動で選択することができる。
【００１５】
第３に、居室親機に映像復元手段およびノイズ除去手段を搭載した場合には、当該映像復元手段で親機ＣＰＵでの映像信号のＳ／Ｎ比の測定の結果に応じた1フレームあたりの分割数で当該Ｓ／Ｎ比の改善処理をし、当該ノイズ除去手段により映像信号の周波数帯域の信号波のみ通過させることで、低照度時の画質改善を図ることができる。
【図面の簡単な説明】
【００１６】
【図１】本発明の一実施例におけるインターホン装置の全体構成を示すシステム説明図。
【図２】本発明の一実施例におけるインターホン装置の具体的な構成を示すブロック図。
【図３】本発明のインターホン装置における映像信号の処理状況を示す説明図。
【図４】本発明のインターホン装置の他の実施例における居室親機のブロック図。
【発明を実施するための形態】
【００１７】
以下、本発明のインターホン装置を適用した好ましい形態の実施例について、図面を参照して説明する。
【００１８】
図１は、本発明の一実施例におけるインターホン装置の全体構成を示すシステム説明図、図２は、本発明のインターホン装置の具体的な構成を示すブロック図である。
【００１９】
図１において、本発明の一実施例におけるインターホン装置は、住戸外（屋外）の例えば住戸玄関に設置される玄関子機１と、住戸内に設置され子機／親機ラインＬを経由して玄関子機１に接続される居室親機２とを備えている。
【００２０】
玄関子機１は、子機操作部１０、映像撮像部１１及び子機通話部１２を備えている。この玄関子機１において、子機操作部１０は、住戸玄関に居る来訪者が住戸内に在室中の居住者を呼出すために操作するものであり、例えば、呼出ボタンにて構成されている。また、映像撮像部１１は、被写体である例えば、呼出操作を行った来訪者の映像や住戸玄関の周囲環境下の映像を撮像して映像信号を生成するためのものであり、ＣＣＤ、ＣＭＯＳ等の各種カメラにて構成されている。さらに、子機通話部１２は、来訪者が居住者との間で通話を成立させるための音声（送話音声、受話音声）信号を送受信するものであり、例えば、子機マイク１２ａ及び子機スピーカ１２ｂにて構成されている。
【００２１】
一方、居室親機２は、親機操作部２０、映像出画部２１及び親機通話部２２を備えている。この居室親機２において、親機操作部２０は、来訪者からの呼出しに居住者が応答して通話を開始するための応答操作や当該通話を終了するための終話操作を行うものであり、例えば、通話ボタンや映像出画部２１の画面上に設けられるタッチパネルにて構成されている。また、映像出画部２１は、玄関子機１の映像撮像部１１にて生成される映像信号を出画するためのものであり、例えば、ＬＣＤ、有機ＥＬディスプレイ等の各種表示・出画媒体にて構成され、当該映像出画部２１は、通常、来訪者による呼出しを報知するための呼出報知機能も有している。さらに、親機通話部２２は、居住者が来訪者との間で通話を成立させるための音声（送話音声、受話音声）信号を送受信するものであり、例えば、親機マイク２２ａ及び親機スピーカ２２ｂにて構成されている。なお、親機通話部２２を構成するスピーカは、通常、来訪者による呼出しを報知するための呼出報知機能も有している。
【００２２】
次に、子機／親機ラインＬを経由して接続された玄関子機１及び居室親機２の具体的な構成について、図２のブロック図を参照して説明する。
【００２３】
同図において、玄関子機１は、前述の子機操作部１０、映像撮像部１１および子機通話部１２の他に、映像変調部１３、子機音声処理部１４、子機電源部１５、子機ＣＰＵ１６及び子機Ｉ／Ｆ（インターフェース）１７を備えている。
【００２４】
この玄関子機１において、映像変調部１３は、子機ＣＰＵ１６によって制御され、映像撮像部１１にて生成された映像信号についてＦＭ変調を行うためのものである。また、子機音声処理部１４は、子機ＣＰＵ１６によって制御され、子機通話部１２（子機マイク１２ａ及び子機スピーカ１２ｂ）にて入出力される音声（送話音声、受話音声）信号について所定の信号処理を行うためのもの、例えば、変・復調や信号増幅を行うためのものである。
【００２５】
子機電源部１５は、居室親機２の後述する子機電源供給部２７にて生成され子機／親機ラインＬを経由して供給されてくる直流電源（待受電源、動作電源）を受電し、玄関子機１の構成各部に電源供給するためのものである。
【００２６】
子機ＣＰＵ１６は、玄関子機１の構成各部を制御するためのものである。また、子機Ｉ／Ｆ１７は、映像変調部１３から子機／親機ラインＬへの信号伝送路と、子機音声処理部１４及び子機／親機ラインＬ間の信号伝送路と、子機／親機ラインＬから子機電源部１５への電源供給路と、子機ＣＰＵ１６及び子機／親機ラインＬ間の信号伝送路とをそれぞれ形成するためのものである。
【００２７】
一方、居室親機２は、前述の親機操作部２０、映像出画部２１及び親機通話部２２の他に、映像復調部２３、映像処理部２４、親機音声処理部２５、親機電源部２６、子機電源供給部２７、親機ＣＰＵ２８及び親機Ｉ／Ｆ２９を備えている。
【００２８】
この居室親機２において、映像復調部２３は、親機ＣＰＵ２８によって制御され、玄関子機１から子機／親機ラインＬを経由して伝送されてくる映像信号についてＦＭ復調を行うためのものである。また、映像処理部２４は、親機ＣＰＵ２８によって制御され、映像復調部２３を経由してＦＭ復調された映像信号について所定の信号処理を行うためのものであり、映像復元手段としての映像復元回路２４ａ及びノイズ除去手段としてのフィルタ回路２４ｂを備えている。ここで、映像復元手段としての映像復元回路２４ａは、親機ＣＰＵ２８が有する後述の分割数決定回路２８ａにて決定された分割数に分割され、後述のフレームレート決定手段としてのフレームレート決定回路２８ｂにて決定されたフレームレートの映像信号を１フレームの当該映像信号に信号処理するためのものである。また、ノイズ除去手段としてのフィルタ回路２４ｂは、分割数決定手段としての分割数決定回路２８ａにて決定された分割数に分割され、フレームレート決定手段としてのフレームレート決定回路２８ｂにて決定されたフレームレートの映像信号のノイズ成分及び映像復元回路２４ａにて信号処理された映像信号のノイズ成分のうち何れかを除去するためのものであり、例えば、バンドパスフィルタにて構成されている。
【００２９】
親機音声処理部２５は、親機ＣＰＵ２８によって制御され、親機通話部２２（親機マイク２２ａ及び親機スピーカ２２ｂ）にて入出力される音声（送話音声、受話音声）信号について所定の信号処理を行うためのもの、例えば、変・復調や信号増幅を行うためのものである。
【００３０】
親機電源部２６は、親機ＣＰＵ２８によって制御され、例えば、ＡＣ１００Ｖの商用電源を整流・平滑して生成された直流電源を、居室親機２の待受電源又は動作電源として電源供給するためのものである。また、子機電源供給部２７は、親機ＣＰＵ２８によって制御され、親機電源部２６にて生成された直流電源を、玄関子機１の待受電源又は動作電源として電源供給するためのものである。
【００３１】
親機ＣＰＵ２８は、居室親機２の構成各部を制御するためのものである。この親機ＣＰＵ２８は、映像復調部２３にて復調された映像信号のＳ／Ｎ比を検出するためのＳ／Ｎ比検出手段としてのＳ／Ｎ比検出回路２８ｃと、Ｓ／Ｎ比検出回路２８ｃにて検出されたＳ／Ｎ比と予め設定された閾値との比較を行い当該映像信号の１フレーム内の分割数（ｎ）を決定するための分割数決定手段としての分割数決定回路２８ａと、分割数決定回路２８ａにて決定された分割数に対応させてフレームレートを決定するためのフレームレート決定手段としてのフレームレート決定回路２８ｂとを備えている。
【００３２】
親機Ｉ／Ｆ２９は、子機／親機ラインＬから映像復調部２３への信号伝送路と、親機音声処理部２５及び子機／親機ラインＬ間の信号伝送路と、子機電源供給部２７から子機／親機ラインＬへの電源供給路と、親機ＣＰＵ２８及び子機／親機ラインＬ間の信号伝送路とをそれぞれ形成するためのものである。
【００３３】
次に、このように構成された本発明の一実施例におけるインターホン装置の具体的な動作について説明する。
【００３４】
図２において、先ず、来訪者による玄関子機１から居室親機２への呼び出しがなく通話も成立していない待受状態においては、すなわち、玄関子機１の映像撮像機能（１１、１３）及び居室親機２の映像出画機能（２１、２３）がそれぞれ非能動の状態においては、居室親機２の親機電源部２６は、例えば、ＡＣ１００Ｖの商用電源を整流・平滑して所定の電圧レベルである待受用の直流電源を生成し、当該居室親機の構成各部に供給している。また、これととともに、この直流電源を待受用の子機電源として、子機電源供給部２７から親機Ｉ／Ｆ２９、子機／親機ラインＬ、玄関子機１の子機Ｉ／Ｆ１７、子機電源部１５を経由して当該玄関子機の構成各部に供給している。
【００３５】
次に、このような待受状態において、住戸内に在室中の居住者を呼び出すにあたり、住戸玄関に居る来訪者が玄関子機１の子機操作部１０を使用して所定の呼出操作を行うと、この操作を検出した子機ＣＰＵ１６は、待受状態から呼出状態に遷移して呼出信号を生成し、子機Ｉ／Ｆ１７、子機／親機ラインＬ、居室親機２の親機Ｉ／Ｆ２９を経由して親機ＣＰＵ２８に送出する。
【００３６】
居室親機２の親機ＣＰＵ２８は、玄関子機１からの呼出信号をもとに来訪者による呼び出しがあることを検出し待受状態から呼出状態に遷移し、親機電源部２６を制御して前述の待受用よりも高い電圧レベルである動作用の直流電源を生成して当該居室親機の構成各部に供給させる。また、これとともに、この直流電源を動作用の子機電源として前述の待受用の子機電源と同様の供給路を経由して子機電源部１５から当該玄関子機の構成各部に供給させることができる。
【００３７】
また、居室親機２において、呼出状態の親機ＣＰＵ２８は、来訪者による玄関子機１からの呼び出しがある旨の呼出音や音声メッセージを親機通話部２２としての親機スピーカ２２ｂから出力（音響出力）させて呼出発報を行うとともに、映像出画部２１及び映像復調部２３がそれぞれ能動となるように制御する。なお、映像出画部２１には、親機ＣＰＵ２８の制御によって、来訪者による玄関子機１からの呼び出しがある旨の呼出メッセージや絵データを表示させることもできる。
【００３８】
さらに、玄関子機１の映像撮像部１１及び映像変調部１３はそれぞれ、子機電源部１５からの動作用の子機電源を受電し、子機ＣＰＵ１６の制御によって能動となる。
【００３９】
映像撮像部１１は、被写体である来訪者や住戸玄関の周囲近傍の映像を撮像して映像信号を生成し、映像変調部１３、子機Ｉ／Ｆ１７、子機／親機ラインＬ、居室親機２の親機Ｉ／Ｆ２９、映像復調部２３を経由して親機ＣＰＵ２８へ送出する。
【００４０】
ここで、住戸外の例えば住戸玄関が予め決められた低照度環境になると、Ｓ／Ｎ比検出手段としてのＳ／Ｎ比検出回路２８ｃにおいて、映像復調部２３にて復調された映像信号のＳ／Ｎ比が検出され、分割数決定手段としての分割数決定回路２８ａにおいて、Ｓ／Ｎ比検出回路２８ｃにて検出されたＳ／Ｎ比と予め設定された閾値との比較を行い、当該映像信号の１フレーム内の分割数が決定される。そして、フレームレート決定手段としてのフレームレート決定回路２８ｂにおいて、分割数決定回路２８ａにて決定された分割数に対応させてフレームレートが決定される。
【００４１】
当該フレームレート決定回路２８ｂは、分割数決定回路２８ａにて決定された分割数に対応する所定のブロックのＳ／Ｎ比に対応させてフレームレートが決定される。また、分割数決定回路２８ａにて決定された分割数に分割され、フレームレート決定回路２８ｂにて決定されたフレームレートの映像信号は、映像復元手段としての映像復元回路２４ａに送出され、当該映像復元回路２４ａにおいて１フレームの当該映像信号に信号処理される。
【００４２】
さらに、ノイズ除去手段としてのフィルタ回路２４ｂにおいて、分割数決定回路２８ａにて決定された分割数に分割され、フレームレート決定回路２８ｂにて決定されたフレームレートの映像信号のノイズ成分及び映像復元回路２４ａにて信号処理された映像信号のノイズ成分のうち何れかが除去される。
【００４３】
ここで、１フレームを何ブロックに分割するかについてはＳ／Ｎ比に応じて変更する。例えば、図３に示すように、Ｓ／Ｎ比が１００[%]ならば分割せず（無分割）、Ｓ／Ｎ比が８０[％]ならば２分割、Ｓ／Ｎ比が６０[％]ならば４分割、Ｓ／Ｎ比が４０[％]ならば８分割、Ｓ／Ｎ比が２０[％]ならば１６分割とする。また、このように１フレームを何ブロックかに分割した後、もとのフレームの中央付近のブロックのＳ／Ｎ比を再度測定する。このＳ／Ｎ比の測定結果に応じてフレームレートが選択される。
【００４４】
具体的には、図３に示すように、Ｓ／Ｎ比が１００[％]ならば１５[fps]、Ｓ／Ｎ比が８０[％]ならば１０[fps]、Ｓ／Ｎ比が６０[％]ならば７．５[fps]、Ｓ／Ｎ比が４０[％]ならば５[fps]、Ｓ／Ｎ比が２０[％]ならば２．５[fps]とする。例えば、復調された映像信号のＳ／Ｎ比が２０[％]とすると、フレームは１６分割になる。また、分割後、フレーム中央付近に相当する４ブロック分のＳ／Ｎ比の平均値が約６０[%]とすると７．５[fps]となる。
【００４５】
このようにして、分割数決定回路２８ａにて決定された分割数に分割され、フレームレート決定回路２８ｂにて決定されたフレームレートの映像信号は、映像復元手段としての映像復元回路２４ａに送出され、当該映像復元回路２４ａにおいて、１６分割されて本来の映像信号とそれ以外の周波数の信号をランダムノイズとみなして除去し、再びもとのフレームへ戻して、この状態にてフイルタ回路２４ｂにおいて、フレーム中央部のランダムノイズを除去して映像出画部２１へ映し出す。
【００４６】
図４は、本発明のインターホン装置の他の実施例における居室親機のブロック図を示している。なお、同図において、図２と共通する部分には同一の符号を付して詳細な説明を省略する。
【００４７】
図４に示す実施例においては、図２に示す映像処理部２４に代えて、映像復調部２３にて復調された映像信号のＳ／Ｎ比を検出するためのＳ／Ｎ比検出手段としてのＳ／Ｎ比検出回路２４０ａと、Ｓ／Ｎ比検出回路２４０ａにて検出されたＳ／Ｎ比と予め設定された閾値との比較を行い当該映像信号の１フレーム内の分割数（ｎ）を決定するための分割数決定手段としての分割数決定回路２４０ｂと、分割数決定回路２４０ｂにて決定された分割数に対応させてフレームレートを決定するためのフレームレート決定手段としてのフレームレート決定回路２４０ｃと、分割数決定回路２４ｂにて決定された分割数に分割され、フレームレート決定回路２４０ｃにて決定されたフレームレートの映像信号を生成する映像信号生成回路２４０ｄと、映像復元手段としての映像復元回路２４０ｅと、ノイズ除去手段としてのフィルタ回路２４０ｆとを備える映像処理部２４０が用いられ、また、図２に示す親機ＣＰＵ２８に代えて、Ｓ／Ｎ比検出手段としてのＳ／Ｎ比検出回路２８ｃと、分割数決定手段としての分割数決定回路２８ａと、フレームレート決定手段としてのフレームレート決定回路２８ｂとを有しない親機ＣＰＵ２８０が用いられている。
【００４８】
この実施例においても、図２に示す実施例と同様に、映像信号が信号処理され、映像信号のノイズ成分が除去される。具体的には、住戸外の例えば住戸玄関が予め決められた低照度環境になると、Ｓ／Ｎ比検出回路２４０ａにおいて、映像復調部２３にて復調された映像信号のＳ／Ｎ比が検出され、分割数決定回路２４０ｂにおいて、Ｓ／Ｎ比検出回路２４０ａにて検出されたＳ／Ｎ比と予め設定された閾値との比較を行い、当該映像信号の１フレーム内の分割数が決定される。そして、フレームレート決定手段としてのフレームレート決定回路２４０ｃにおいて、分割数決定回路２４０ｂにて決定された分割数に対応させてフレームレートが決定される。
【００４９】
当該フレームレート決定回路２４０ｃは、分割数決定回路２４０ｂにて決定された分割数に対応する所定のブロックのＳ／Ｎ比に対応させてフレームレートが決定される。また、映像信号生成回路２４０ｄにおいて、分割数決定回路２４０ｂにて決定された分割数に分割され、フレームレート決定回路２４０ｃにて決定されたフレームレートの映像信号が生成され、このようにして生成されたフレームレートの映像信号は、映像復元回路２４０ｅに送出され、当該映像復元回路２４０ｅにおいて１フレームの当該映像信号に信号処理される。
【００５０】
さらに、フィルタ回路２４０ｆにおいて、分割数決定回路２０ｂａにて決定された分割数に分割され、フレームレート決定回路２４０ｃにて決定されたフレームレートの映像信号のノイズ成分及び映像復元回路２４０ｅにて信号処理された映像信号のノイズ成分のうち何れかが除去される。
【００５１】
なお、以上の本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【符号の説明】
【００５２】
１・・・玄関子機
１０・・・子機操作部
１１・・・映像撮像部
１２・・・子機通話部
１３・・・映像変調部
２・・・居室親機
２０・・・親機操作部
２１・・・映像出画部
２２・・・親機通話部
２３・・・映像復調部
２４・・・映像処理部
２４ａ・・・映像復元回路（映像復元手段）
２４ｂ・・・フィルタ回路（ノイズ除去手段）
２８・・・親機ＣＰＵ
２８ａ・・・分割数決定回路（分割数決定手段）
２８ｂ・・・フレームレート決定回路（フレームレート決定手段）
２８ｃ・・・Ｓ／Ｎ比検出回路（Ｓ／Ｎ比検出手段）
【図１】
2013179395.tif 000003
【図２】
2013179395.tif 000004
【図３】
2013179395.tif 000005
【図４】
2013179395.tif 000006